(57)【要約】【課題】法令やマニュアル文書等の条項の検索を、容易且つ迅速に行うことができる利便性の高い文書データ検索システム、文書データ検索プログラム、文書データ検索プログラムを保存した記録媒体の提供。【解決手段】多数の条項からなる文書データが保存されたデータベースと、データベースとサーバを介して接続されたユーザ操作手段と、ユーザ操作手段の操作に応じて所望のデータを表示する表示手段を有する文書データ検索システムであって、データベースには文書データの条項が階層化され階層メニューと共に保存されており、サーバは、ユーザ操作手段により階層メニューの項目を選択した場合、選択された項目の一つ下位の階層メニューをデータベースから読み出し表示手段に表示し、ユーザ操作手段により選択された項目が最下位階層の場合、表示手段に選択した項目に該当する条項を表示することを特徴とする文書データ検索システムである。【選択図】図５
2010134914.tif 000002
【特許請求の範囲】
【請求項１】
多数の条項からなる文書データが保存されたデータベースと、該データベースとサーバを介して接続されたユーザ操作手段と、該ユーザ操作手段の操作に応じて所望のデータを表示する表示手段を有する文書データ検索システムであって、
前記データベースには前記文書データの条項が階層化され階層メニューとともに保存されており、
前記サーバは、
前記ユーザ操作手段により階層メニューの項目を選択した場合、該選択された項目の一つ下位の階層メニューを前記データベースから読み出し前記表示手段に表示し、
前記ユーザ操作手段により選択された項目が最下位階層の場合、前記表示手段に該選択した項目に該当する条項を表示することを特徴とする文書データ検索システム。
【請求項２】
前記表示手段に条項が表示された場合、前記表示手段には前記条項と関連する条項が表示されることを特徴とする請求項１記載の文書データ検索システム。
【請求項３】
前記表示手段に条項が表示された場合、該表示手段には前記表示された条項に用いられている用語のうち注釈を必要とする用語を表示する注釈表示部が表示され、
前記ユーザ操作手段により前記注釈表示部に表示された用語を選択することにより、前記表示手段が該選択された用語の注釈を表示することを特徴とする請求項１又は２記載の文書データ検索システム。
【請求項４】
前記データベースがリムーバブルメディアに保存されていることを特徴とする請求項１乃至３いずれか記載の文書データ検索システム。
【請求項５】
前記データベースに保存される文書データが法令データであることを特徴とする請求項１乃至４いずれか記載の文書データ検索システム。
【請求項６】
前記データベースに保存される文書データがマニュアルデータであることを特徴とする請求項１乃至４いずれか記載の文書データ検索システム。
【請求項７】
多数の条項からなる文書データが条項ごとに階層化され階層メニューとともに保存されているデータベースから所望の条項を読み出すための文書データ検索プログラムであって、
階層メニューの項目を選択した場合、該選択された項目の一つ下位の階層メニューを前記データベースから読み出し、
選択された項目が最下位階層の場合、該選択した項目に該当する条項を前記データベースから読み出すことを特徴とする文書データ検索プログラム。
【請求項８】
請求項７に記載のデータベース及び文書データ検索プログラムを保存したコンピュータ読み取り可能な記録媒体。
【発明の詳細な説明】
【技術分野】
【０００１】
本発明は、法令やマニュアル文書等の文書データから所望の条項を容易且つ迅速に検索することができる文書データ検索システム、文書データ検索プログラム、該文書データ検索プログラムを保存した記録媒体に関する。
【背景技術】
【０００２】
高圧ガスを取扱う場合の法律としては高圧ガス保安法があり、高圧ガス保安法に関連する規則としては、一般高圧ガス保安規則、液化石油ガス保安規則、コンビナート等保安規則、冷凍保安規則等が挙げられる。また、高圧ガス保安法は液化石油ガス法等他の多くの法律を準用している。
このように各業界には、関連する法律・政令・省令・規則・基準・指針等（以下、あわせて法令と称す）が数多く存在する。そのため、法令集等を用いて必要な条項を探すためには多大な労力を有する。
特に経験の少ない者にとっては、どの法令を参照すればよいのかさえ分からず、法令の正確な運用は極めて困難である。
【０００３】
このような現状に鑑み、特定の業界の法令をデータ化しデータベースに保存して、利用者が検索できるようにシステム化することが行われている（例えば、下記特許文献１参照）。
このようにシステム化することにより、法令集を用いるよりも簡単且つ迅速に、条項を検索することができる。
【０００４】
しかし、このようなシステムを用いたとしても、利便性の面で十分であるとはいえず、より簡単且つ迅速に条項を検索することができるシステムが望まれていた。
さらに、法令だけでなく、マニュアル文書等、その他の複雑な文書においても、同様のことが言える。例えば、近年の電子機器の高機能化・多機能化に伴って、操作マニュアル（取扱説明書）は非常に分厚くなっている。そのため、使用者は所望の情報が記載された条項（例えば、デジタルカメラの場合には「ズームを使った撮影方法」等の具体的な操作方法の説明）を迅速に見つけることが困難であった。
このような実状から、マニュアル文書等、その他の複雑な文書においても、所望の条項の検索を容易且つ迅速に行うことができる利便性の高いシステムが望まれていた。
【先行技術文献】
【特許文献】
【０００５】
【特許文献１】特開２００２−１０８８８０号公報
【発明の概要】
【発明が解決しようとする課題】
【０００６】
本発明は、上記現状に鑑みてなされたものであり、法令やマニュアル文書等の条項の検索を、容易且つ迅速に行うことができる利便性の高い文書データ検索システム、文書データ検索プログラム、該文書データ検索プログラムを保存した記録媒体を提供することを解決課題とする。
【課題を解決するための手段】
【０００７】
請求項１に係る発明は、多数の条項からなる文書データが保存されたデータベースと、該データベースとサーバを介して接続されたユーザ操作手段と、該ユーザ操作手段の操作に応じて所望のデータを表示する表示手段を有する文書データ検索システムであって、前記データベースには前記文書データの条項が階層化され階層メニューとともに保存されており、前記サーバは、前記ユーザ操作手段により階層メニューの項目を選択した場合、該選択された項目の一つ下位の階層メニューを前記データベースから読み出し前記表示手段に表示し、前記ユーザ操作手段により選択された項目が最下位階層の場合、前記表示手段に該選択した項目に該当する条項を表示することを特徴とする文書データ検索システムに関する。
【０００８】
請求項２に係る発明は、前記表示手段に条項が表示された場合、前記表示手段には前記条項と関連する条項が表示されることを特徴とする請求項１記載の文書データ検索システムに関する。
【０００９】
請求項３に係る発明は、前記表示手段に条項が表示された場合、該表示手段には前記表示された条項に用いられている用語のうち注釈を必要とする用語を表示する注釈表示部が表示され、前記ユーザ操作手段により前記注釈表示部に表示された用語を選択することにより、前記表示手段が該選択された用語の注釈を表示することを特徴とする請求項１又は２記載の文書データ検索システムに関する。
【００１０】
請求項４に係る発明は、前記データベースがリムーバブルメディアに保存されていることを特徴とする請求項１乃至３いずれか記載の文書データ検索システムに関する。
【００１１】
請求項５に係る発明は、前記データベースに保存される文書データが法令データであることを特徴とする請求項１乃至４いずれか記載の文書データ検索システムに関する。
【００１２】
請求項６に係る発明は、前記データベースに保存される文書データがマニュアルデータであることを特徴とする請求項１乃至４いずれか記載の文書データ検索システムに関する。
【００１３】
請求項７に係る発明は、多数の条項からなる文書データが条項ごとに階層化され階層メニューとともに保存されているデータベースから所望の条項を読み出すための文書データ検索プログラムであって、階層メニューの項目を選択した場合、該選択された項目の一つ下位の階層メニューを前記データベースから読み出し、選択された項目が最下位階層の場合、該選択した項目に該当する条項を前記データベースから読み出すことを特徴とする文書データ検索プログラムに関する。
【００１４】
請求項８に係る発明は、請求項７に記載のデータベース及び文書データ検索プログラムを保存したコンピュータ読み取り可能な記録媒体に関する。
【発明の効果】
【００１５】
請求項１に係る発明によれば、多数の条項からなる文書データが保存されたデータベースと、該データベースとサーバを介して接続されたユーザ操作手段と、該ユーザ操作手段の操作に応じて所望のデータを表示する表示手段を有する文書データ検索システムであって、前記データベースには前記文書データの条項が階層化され階層メニューとともに保存されており、前記サーバは、前記ユーザ操作手段により階層メニューの項目を選択した場合、該選択された項目の一つ下位の階層メニューを前記データベースから読み出し前記表示手段に表示し、前記ユーザ操作手段により選択された項目が最下位階層の場合、前記表示手段に該選択した項目に該当する条項を表示することにより、利用者は、整理された階層メニューを段階的に選択していくことができるので、数多くの条項を迷わず、容易且つ迅速に検索することができ、検索する際の利便性が向上する。
【００１６】
請求項２に係る発明によれば、前記表示手段に条項が表示された場合、前記表示手段には前記条項と関連する条項が表示されることにより、実際に手続を行う場合等の利便性がさらに向上する。
【００１７】
請求項３に係る発明によれば、前記表示手段に条項が表示された場合、該表示手段には前記表示された条項に用いられている用語のうち注釈を必要とする用語を表示する注釈表示部が表示され、前記ユーザ操作手段により前記注釈表示部に表示された用語を選択することにより、前記表示手段が該選択された用語の注釈を表示することで、利用者は条項の意味を容易に理解することができる。
【００１８】
請求項４に係る発明によれば、前記データベースがリムーバブルメディアに保存されていることにより、持ち運びが容易となり、多くの利用者に配布することもできる。
【００１９】
請求項５に係る発明によれば、前記データベースに保存される文書データが法令データであることにより、法令から所望の条文を容易且つ迅速に検索することができる。
【００２０】
請求項６に係る発明によれば、前記データベースに保存される文書データがマニュアルデータであることにより、各種の機器を操作する際に参照される複雑なマニュアル文書から、必要な情報が記載された所望の条項を容易且つ迅速に検索することができる。
【００２１】
請求項７に係る発明によれば、多数の条項からなる文書データが条項ごとに階層化され階層メニューとともに保存されているデータベースから所望の条項を読み出すための文書データ検索プログラムであって、階層メニューの項目を選択した場合、該選択された項目の一つ下位の階層メニューを前記データベースから読み出し、選択された項目が最下位階層の場合、該選択した項目に該当する条項を前記データベースから読み出すことにより、階層メニューを段階的に選択して条項をデータベースから読み出すことができるので、容易且つ迅速に条項を検索することができる。
【００２２】
請求項８に係る発明によれば、請求項７に記載のデータベース及び文書データ検索プログラムを保存したコンピュータ読み取り可能な記録媒体であることにより、コンピュータ等に記録媒体を読み取らせるだけで本システムを利用することができる。
【図面の簡単な説明】
【００２３】
【図１】本発明の実施形態に係る文書データ検索システムの構成を示すブロック図である。
【図２】本発明の実施形態に係る法令データ検索システムにおける初期画面を示す図である。
【図３】本発明の実施形態に係る法令データ検索システムにおける階層メニュー表示画面を示す図である。
【図４】本発明の実施形態に係る法令データ検索システムにおける階層メニュー表示画面を示す図である。
【図５】本発明の実施形態に係る法令データ検索システムにおける階層メニュー表示画面を示す図である。
【図６】本発明の実施形態に係る法令データ検索システムにおける階層メニュー表示画面を示す図である。
【図７】本発明の実施形態に係る法令データ検索システムにおける参照表示画面を示す図である。
【図８】本発明の実施形態に係る法令データ検索システムにおける法令検索画面を示す図である。
【図９】本発明の実施形態に係るマニュアルデータ検索システムにおける初期画面を示す図である。
【図１０】本発明の実施形態に係るマニュアルデータ検索システムにおける階層メニュー表示画面を示す図である。
【図１１】本発明の実施形態に係るマニュアルデータ検索システムにおける階層メニュー表示画面を示す図である。
【図１２】本発明の実施形態に係るマニュアルデータ検索システムにおける階層メニュー表示画面を示す図である。
【図１３】本発明の実施形態に係るマニュアルデータ検索システムにおける階層メニュー表示画面を示す図である。
【図１４】本発明の実施形態に係るマニュアルデータ検索システムにおける階層メニュー表示画面を示す図である。
【図１５】本発明の実施形態に係るマニュアルデータ検索システムにおけるマニュアル検索画面を示す図である。
【発明を実施するための形態】
【００２４】
以下、本発明の文書データ検索システムについて図面を参照しつつ説明する。
図１は本発明の実施形態に係る文書データ検索システムの構成を示すブロック図である。
【００２５】
本実施形態に係る文書データ検索システムは、図１に示すようにデータベース（１）、サーバ（２）、利用者操作手段（３）、表示手段（４）を有する。
【００２６】
データベース（１）には、複数の条項を有する文書データが保存されている。このとき、当該文書データは内容ごとに分類され、複数階層に分けて保存されている。また、階層ごとの階層メニューも保存されている。
利用者は、利用者操作手段（３）（マウスやキーボード等）を操作して自身の要求（リクエスト）を入力する。そして、当該要求をサーバ（２）が受け取り、データベース（１）内に保存されたデータを検索処理して読み出し、ＬＣＤ等のディスプレイからなる表示手段（４）に表示する。
【００２７】
以下、利用者操作手段（３）の操作について説明する。
本実施形態の文書データ検索システムを起動すると、表示手段（４）に最上位の階層メニューが表示される。利用者は、利用者操作手段（３）により、表示された階層メニューの項目から、所望の項目を選択する。
利用者操作手段（３）により階層メニューの項目を選択した場合、サーバ（２）が選択された項目の一つ下位の階層メニューをデータベース（１）から読み出し、表示手段（４）に表示する。このとき、選択された項目が最下位階層の場合（当該項目より下の階層メニューがない場合）、表示手段（４）に選択した項目に該当する条項を表示する。
このように、利用者は整理された階層メニューを段階的に選択していくので、数多くの条項を迷わず、容易且つ迅速に検索することができ、検索する際の利便性が向上する。
【００２８】
データベース（１）は、コンピュータに内蔵又は外付けされたハードディスクであってもよいし、コンピュータにより読み取り可能なフロッピディスク、ＣＤＲＯＭ、ＤＶＤ、ＭＯ、フラッシュメモリ、メモリーカード等のリムーバブルメディアであってもよい。リムーバブルメディアである場合、持ち運びを容易にすることができる。
また、データベース（１）であるリムーバブルメディアを配布する際は、データベースからデータを読み取るためのプログラムもリムーバブルメディアにともに保存して配布することが好ましい。これにより、コンピュータにリムーバブルメディアのデータを読み取らせるだけで、本システムを利用することができる。
また、保存されているデータ及びプログラムを汎用性のあるものにすることにより、多くのコンピュータで使用することができるため、利便性をさらに向上させることができ、多くの利用者に配布することが可能となる。
【００２９】
また、データベース（１）、サーバ（２）、利用者操作手段（３）、表示手段（４）は、夫々別々の装置として、インターネットやＬＡＮ等のネットワークで夫々が接続するように構成してもよいし、一つの端末（パソコン等）が全て、又は複数の手段を有するように構成してもよい。例えば、一つのパソコンが、キーボード等の利用者操作手段（３）、表示手段（４）を有し、当該パソコンに、無形のソフトウエアであるサーバ（２）（プログラム）とデータベースが保存されたリムーバブルメディアを接続することで、文書データ検索システムを構築してもよい。
【００３０】
以下、文書データとして法令データを保存する文書データ検索システム（法令データ検索システム）を例にして、本発明をより詳細に説明する。
本実施形態に保存されている法令データは高圧ガス保安法のデータである。
図２〜８は本発明の実施形態に係る法令データ検索システムにおける表示画面を示す図である。
【００３１】
本実施形態に係る法令データ検索システムを起動した場合、表示手段（４）に図２に示すような初期画面（ａ）が表示される。初期画面（ａ）はデータベース（１）に保存されている最上位の階層メニューである。本実施形態の場合、高圧保安法に関連する規則である「一般高圧ガス保安規則」・「液化石油ガス保安規則」・「コンビナート等保安規則」・「冷凍保安規則」が項目として表示される。
そして、利用者は利用者操作手段によりいずれかの項目を選択する。
【００３２】
図３は、図２の初期画面（ａ）から一つの項目（具体的には「液化石油ガス保安規則」（図２の（ａ１））を選択した場合の表示画面（以下、階層メニュー表示画面（ｂ）と称す）であり、選択した項目の一つ下位の階層メニューが表示された画面である。
具体的には、格子状の表（本実施形態では縦１０個、横６個）が表示され、表の一番左の列に「液化石油ガス保安規則」の一つ下位の階層メニューが表示される。
【００３３】
利用者は階層メニュー表示画面（ｂ）に表示された階層メニューのうち、いずれか一つの項目を選択する。それにより、左から二番目の列に選択した項目の一つ下位の階層メニューが表示される（図４の階層メニュー表示画面（ｃ）参照）。
このように、利用者は階層メニューの項目を選択していき、選択した項目の下位の階層メニューを右隣の列に表示していく（図５の階層メニュー表示画面（ｄ）参照）。
そして、選択された項目が最下位階層の場合（選択された項目の下位の階層メニューが存在しない場合）、選択した項目に該当する条項（本実施形態の場合、条文）を表示する法令抽出画面（ｅ）が表示手段（４）に表示される。
【００３４】
図６は図５における「保安企画推進員」の項目（図５の（ｄ１））を選択した場合の法令抽出画面（ｅ）を示す図である。
「保安企画推進員」の下位には階層メニューが存在しないため、図６中（ｅ１）の部分に「保安企画推進員」について規定した高圧ガス保安法第２７条の３，２項が表示される。
上記したように、利用者は、階層メニュー表示画面（ｂ、ｃ、ｄ）（図３〜５）を用いて上位階層メニューから所望の項目を選択しつつ、順々に下位の階層メニューを表示していき、最終的に所望の条文を表示させる（図６）。これにより、利用者は、条文番号等がわからない場合でも、自分の所望する条文を容易且つ迅速に検索することができる。
【００３５】
また、階層メニュー表示画面において、選択した項目を他の項目と区別できるように表示することが好ましい。これにより、利用者は自身が選択した検索経路を一目で把握することができる。他の項目と区別する方法としては、例えば、選択した文字を赤字にしたり、文字に下線を施したりする方法が挙げられる。階層メニュー表示画面（ｄ）（図５）を例にとして説明すると、選択した項目である「保安」（図５中（ｄ２））、「保安統括者等（２７条の２〜２８条）」（図５中（ｄ３））、「保安主任者及び保安企画推進員の選任」（図５中（ｄ４））、「保安企画推進員」（図５中（ｄ１））の項目が、他の項目と区別できるように表示される（図５では、図示の都合上、選択した項目を他の項目と区別して表示していない）。
【００３６】
また、法令抽出画面（ｅ）には、所望の条文と関連する条文が表示される関連条文表示部（ｅ２）も表示される。関連条文表示部（ｅ２）に表示される条文としては、目的の条文に関連する政令・省令・規則・基準・指針等（以下、政令等と称す）を挙げることができる。政令等には、実際の手続を行う上で参酌すべきこと等が記載されているが、所望の条文とともに、関連する政令等が表示されることにより、（特に実際に手続を行う場合等は）利便性がさらに向上することとなる。
【００３７】
加えて、法令抽出画面（ｅ）の左端には注釈表示部（ｅ３）が表示される。注釈表示部（ｅ３）には、（ｅ１）に表示された所望の条文や関連条文表示部（ｅ２）に記載されている用語のうち、注釈を必要とする用語が表示される。そして、利用者操作手段（３）により注釈表示部（ｅ３）の用語を選択することで、選択した用語に対する注釈が表示される。図７は、「第一種製造者」の注釈を表示した参照表示画面（ｆ）を示す図であり、（ｆ１）の部分に「第一種製造者」を定義する条文（高圧ガス保安法第９条１項）が表示されている。
参照表示画面（ｆ）を表示することにより、利用者は条文中に分からない用語等があるときでも、容易に注釈を参照することができるので、利便性をさらに向上させることができる。
注釈を必要とする用語としては、定義がある用語、引用条文の条文番号等を挙げることができる。なお、用語の定義が条文により異なる場合は、条文ごとに対応させておく必要がある
また、（ｅ１）に表示された所望の条文や関連条文表示部（ｅ２）に表示された条文に所謂括弧書きや図面・表がある場合、部分（ｅ１）（ｅ２）には括弧書きや図面・表を省略して表示し、注釈として括弧書きの内容や図面・表を表示してもよい。括弧書きや図面・表を注釈とすることにより、部分（ｅ１）（ｅ２）に表示された条文が読み易くなるので、利用者は条文の内容を容易に理解することができる。
また、注釈として告示や例示通達、条文には記載されていないノウハウ等を表示してもよい。
【００３８】
参照表示画面（ｆ）は、法令抽出画面（ｅ）とは別ウインドウで表示することが好ましい。それにより、法令抽出画面（ｅ）と参照表示画面（ｆ）を容易に比較することができるからである。
また、参照表示画面（ｆ）にも、法令抽出画面（ｅ）と同様に、関連条文表示部（ｆ１）や注釈表示部（ｆ２）が表示される。これにより、利便性がさらに向上する。
【００３９】
また、図６中（ｅ４）には、所望の条文に対応する階層メニューの項目が表示される。これにより、利用者は自身が選択した項目を確認することができるので、目的の条文を表示できなかったとき等、項目を再考する場合に有用である。
【００４０】
また、本実施形態に係る法令データ検索システムは、条文番号や用語から所望の条文を検索することができる検索機能も有する。
具体的には、図２に示す初期画面（ａ）に検索用語を入力する検索用語入力部（ａ２）を設け、利用者操作手段（３）により、検索用語入力部（ａ２）に検索したい用語や条文番号を入力する。そして、検索ボタン（ａ３）を選択することにより、図８に示す法令検索画面（ｇ）を表示する。検索用語入力部（ａ２）に用語を入力した場合は、法令検索画面（ｇ）の（ｇ１）の部分に当該用語が含まれる条文が表示され、検索用語入力部（ａ２）に条文番号を入力した場合は、（ｇ１）の部分に、当該条文番号に対応する条文が表示される。
当該検索機能を有することにより、階層メニューの項目を選択していくという作業なしに、用語や条文番号から条文を表示することができる。そのため、様々な観点から検索を行うことができ、利便性がさらに向上する。
なお、法令検索画面（ｇ）の上部（ｇ２）には、検索した条文に対応する階層メニューの項目が表示される。これにより、その条文と法令全体との関係を容易に把握することができ、例えば似た内容の条文を、階層メニューを用いて検索するとき等に有用である。
また、本実施形態の検索機能は条文を検索するための機能であるが、意味の分からない用語を入力して入力した用語の意味や定義を表示できる機能であってもよい。
【００４１】
次に、文書データとしてマニュアルデータを保存する文書データ検索システム（マニュアルデータ検索システム）を例にして、本発明の別の実施形態（第二実施形態）を詳細に説明する。
第二実施形態に保存されているマニュアルデータはデジタルカメラのマニュアル（取扱説明書）のデータである。
図９〜１５はマニュアルデータ検索システムにおける表示画面を示す図である。
【００４２】
第二実施形態に係るマニュアルデータ検索システムを起動した場合、表示手段（４）に図９に示すような初期画面（ａ）が表示される。初期画面（ａ）はデータベース（１）に保存されている最上位の階層メニューである。第二実施形態の場合、デジタルカメラのマニュアルに含まれる項目である「マニュアル全編」・「よく使う機能」・「故障かなと感じた場合」・「消耗品型番について」が項目として表示される。
そして、利用者は利用者操作手段によりいずれかの項目を選択する。
【００４３】
図１０は、図９の初期画面（ａ）から一つの項目（具体的には「マニュアル全編」（図２の（ａ１））を選択した場合の表示画面（以下、階層メニュー表示画面（ｂ）と称す）であり、選択した項目の一つ下位の階層メニューが表示された画面である。
具体的には、格子状の表（本実施形態では縦１０個、横６個）が表示され、表の一番左の列に「マニュアル全編」の一つ下位の階層メニューが表示される。
【００４４】
利用者は階層メニュー表示画面（ｂ）に表示された階層メニューのうち、いずれか一つの項目（例えば「撮影方法について」）を選択する。それにより、左から二番目の列に選択した項目の一つ下位の階層メニューが表示される（図１１の階層メニュー表示画面（ｃ）参照）。
更に、利用者が階層メニュー表示画面（ｃ）に表示された階層メニューのうち、いずれか一つの項目（例えば「基本的な撮影の仕方」）を選択すると、左から三番目の列に選択した項目の一つ下位の階層メニューが表示される（図１２の階層メニュー表示画面（ｄ）参照）。
更に、利用者が階層メニュー表示画面（ｄ）に表示された階層メニューのうち、いずれか一つの項目（例えば「撮影する」）を選択すると、左から四番目の列に選択した項目の一つ下位の階層メニューが表示される（図１３の階層メニュー表示画面（ｅ）参照）。
【００４５】
このように、利用者は階層メニューの項目を選択していき、選択した項目の下位の階層メニューを右隣の列に順次表示していく。
そして、選択された項目が最下位階層の場合（選択された項目の下位の階層メニューが存在しない場合）、選択した項目に該当する条項（本実施形態の場合、具体的な操作方法の説明）を表示するマニュアル抽出画面（ｆ）が表示手段（４）に表示される。
図１３において、各階層で選択した項目を（ｅ１）（ｅ２）（ｅ３）（ｅ４）の符号を付して示している。
【００４６】
図１４は図１３における「電源を入れる」の項目（図１３の（ｅ４）を選択した場合のマニュアル抽出画面（ｆ）を示す図である。
「電源を入れる」の下位には階層メニューが存在しないため、図１４中（ｆ１）の部分に「電源を入れる」という操作のための具体的な操作方法の説明が表示される。
上記したように、利用者は、階層メニュー表示画面（ｂ、ｃ、ｄ、ｅ）（図１０〜１３）を用いて上位階層メニューから所望の項目を選択しつつ、順々に下位の階層メニューを表示していき、最終的に所望の操作のための具体的な操作方法を表示させる（図１４）。これにより、利用者は所望の情報が記載された条項（例えば、「電源の入れ方」の具体的な操作方法の説明）を容易且つ迅速に検索することができる。
【００４７】
マニュアル抽出画面（ｆ）の左端には注釈表示部（ｆ２）が表示される。注釈表示部（ｆ２）には、（ｆ１）に表示された所望の説明文に記載されている用語のうち、注釈を必要とする用語が表示される。そして、利用者操作手段（３）により注釈表示部（ｆ２）の用語を選択することで、選択した用語に対する注釈が表示される（図示略）。これにより、利用者は説明文中に分からない用語等があるときでも、容易に注釈を参照することができるので、利便性をさらに向上させることができる。
【００４８】
また、図１４中（ｆ３）には、所望の条項に対応する階層メニューの項目が表示される。これにより、利用者は自身が選択した項目を確認することができるので、目的の条項（具体的な操作方法の説明）を表示できなかったとき等、項目を再考する場合に有用である。
【００４９】
また、第二実施形態に係るマニュアルデータ検索システムは、用語から所望の具体的な操作方法の説明を検索することができる検索機能を有する。
具体的には、図９に示す初期画面（ａ）に検索用語を入力する検索用語入力部（ａ２）を設け、利用者操作手段（３）により、検索用語入力部（ａ２）に検索したい用語を入力する。そして、検索ボタン（ａ３）を選択することにより、図１５に示すマニュアル検索画面（ｇ）を表示する。検索用語入力部（ａ２）に用語（例えば「電源ボタン」と「スライド」）を入力した場合は、マニュアル検索画面（ｇ）の（ｇ１）の部分に当該用語が含まれる条項（具体的な操作方法の説明）が表示される。
当該検索機能を有することにより、階層メニューの項目を選択していくという作業なしに、用語から条項を表示することができる。そのため、様々な観点から検索を行うことができ、利便性がさらに向上する。
なお、法令検索画面（ｇ）の上部（ｇ２）には、検索した条項に対応する階層メニューの項目が表示される。これにより、その条項とマニュアル全体との関係を容易に把握することができ、例えば似た内容の条項を、階層メニューを用いて検索するとき等に有用である。
また、本実施形態の検索機能は条項（具体的な操作方法の説明）を検索するための機能であるが、意味の分からない用語を入力して入力した用語の意味や定義を表示できる機能であってもよい。
【００５０】
上記説明では、法令として高圧ガス保安法、マニュアルとしてデジタルカメラのマニュアル（操作説明書）を例に挙げて説明したが、本発明において法令及びマニュアルの種類はこれらに限定されないことは言うまでもない。
また、上記説明では、法令データ検索システム及びマニュアルデータ検索システムを例として本発明について説明したが、本発明は法令検索システム及びマニュアルデータ検索システムに限定されるものではない。つまり、文書検索システムのデータベースに保存される文書データは、法令のデータやマニュアルのデータに限定されるわけではなく、複数の条項から構成され、階層化して保存できる文書データであれば特に限定されない。
【００５１】
また、本発明には、文書データ検索システムだけでなく、データベースから文書データを読み取るためのプログラムも含む。
このプログラムは、多数の条項からなる文書データ（法令データやマニュアルデータ）が条項ごとに階層化され階層メニューとともに保存されているデータベースから所望の条項を読み出すための文書データ検索プログラムであって、階層メニューの項目を選択した場合、該選択された項目の一つ下位の階層メニューをデータベースから読み出し、選択された項目が最下位階層の場合、該選択した項目に該当する条項をデータベースから読み出して、表示手段に表示させるものである。
更に、本発明には、データベースに保存されたデータとともに当該プログラムを保存（記録）したコンピュータ読み取り可能な記録媒体（リムーバブルメディア等）も含まれる。
【産業上の利用可能性】
【００５２】
本発明は、法令やマニュアル文書等、複雑で且つ膨大な量を有する文書を検索する際に好適に利用可能である。
【符号の説明】
【００５３】
１            データベース
２            サーバ
３            利用者操作手段
４            表示手段
【図１】
2010134914.tif 000003
【図２】
2010134914.tif 000004
【図３】
2010134914.tif 000005
【図４】
2010134914.tif 000006
【図５】
2010134914.tif 000007
【図６】
2010134914.tif 000008
【図７】
2010134914.tif 000009
【図８】
2010134914.tif 000010
【図９】
2010134914.tif 000011
【図１０】
2010134914.tif 000012
【図１１】
2010134914.tif 000013
【図１２】
2010134914.tif 000014
【図１３】
2010134914.tif 000015
【図１４】
2010134914.tif 000016
【図１５】
2010134914.tif 000017